(57)【要約】【課題】かみそりヘッドが浮動自在に支持された電気かみそりにおいて、毛屑などが本体ケースの開口内面に入り込むのを防止する。【解決手段】かみそりヘッド２Ｂと本体ケース１との間には、かみそりヘッド２Ｂの浮動移動を許す浮動隙間Ｅが形成されている。浮動隙間Ｅの周囲開口面は、かみそりヘッド２Ｂと本体ケース１との間に設けた防塵壁５３で遮蔽する。防塵壁５３は、かみそりヘッド２Ｂ側に設けた上防塵壁５３ａと、本体ケース１の上端の上枠体１２に設けた下防塵壁５３ｂとで構成する。上下の防塵壁５３ａ・５３ｂは、内外に重なる状態で浮動隙間Ｅの周囲開口面を遮蔽しており、毛屑の侵入を防止する。【選択図】図１
2005102916.tif 000002
【特許請求の範囲】
【請求項１】
本体ケース１と、本体ケース１に装填される作動ユニット２とを備えており、
作動ユニット２が、本体ケース１に収容される電装品部２Ａと、電装品部２Ａに対して上下、左右、前後のいずれかひとつの方向へ浮動可能に支持されるかみそりヘッド２Ｂとで構成してあり、
かみそりヘッド２Ｂと本体ケース１との間に、かみそりヘッド２Ｂの浮動移動を許す浮動隙間Ｅが形成されている電気かみそりであって、
浮動隙間Ｅの周囲開口面が、かみそりヘッド２Ｂと本体ケース１との間に設けた防塵壁５３で遮蔽されていることを特徴とする電気かみそり。
【請求項２】
かみそりヘッド２Ｂが、電装品部２Ａに対して上下、左右、前後の各方向のうち、複数方向へ浮動自在に支持されている請求項１記載の電気かみそり。
【請求項３】
かみそりヘッド２Ｂの外面下部に、下向きに開口する防塵壁５３を形成してある請求項１または２記載の電気かみそり。
【請求項４】
防塵壁５３が、かみそりヘッド２Ｂの外面下部に下向きに開口する状態で設けた上防塵壁５３ａと、浮動隙間Ｅに臨む本体ケース１の上部に設けられて上向きに開口する下防塵壁５３ｂとで構成されており、
上下の防塵壁５３ａ・５３ｂが、内外に重なって浮動隙間Ｅの周囲を遮蔽している請求項１または２または３記載の電気かみそり。
【請求項５】
浮動隙間Ｅが、周方向へ連続する無端環状の空間で形成されており、
本体ケース１の上部と防塵壁５３とが、浮動隙間Ｅの全周囲部分において内外に重なる状態で形成されている請求項３または４記載の電気かみそり。
【請求項６】
上防塵壁５３ａの周面と、本体ケース１の上部周面とが、同一平面上に設けてある請求項５記載の電気かみそり。
【請求項７】
本体ケース１が、内ケース１０と、内ケース１０の外面を覆う前後に二分割された外ケース１１と、外ケース１１の上端に配置固定される、下防塵壁５３を含む上枠体１２とで構成されており、
前ケース１１ａと後ケース１１ｂとからなる外ケース１１の上端に上枠体１２を外嵌固定することにより、前後ケース１１ａ・１１ｂが上枠体１２で分離不能に固定されている請求項４から６のいずれかに記載の電気かみそり。
【請求項８】
内ケース１０の左右両側に、外ケース１１の外面に露出するランド部１３・１４が突設されており、
ランド部１３・１４は、上下および前後に拡がりを有する突起で形成されて、外ケース１１の表面と面一になる状態で突設されており、
前ケース１１ａと後ケース１１ｂとの接合面にランド部１３・１４を配置して、前後の両ケース１１ａ・１１ｂをランド部１３・１４で位置決めしている請求項７記載の電気かみそり。
【発明の詳細な説明】
【技術分野】
【０００１】
本発明は、かみそりヘッドが上下、左右、前後のいずれかへ浮動可能に支持してある電気かみそりに関する。
【背景技術】
【０００２】
電気かみそりにおいて、かみそりヘッドを上下、左右、前後の全方向へ浮動可能に支持することは公知である（特許文献１）。そこでは、かみそりヘッドが傾動するとき、かみそりヘッドと本体ケースとが接当干渉するのを防ぐために、かみそりヘッドと本体ケースとの間に浮動隙間を有する。なお、毛屑が浮動隙間を介して本体ケース内に侵入するのを防ぐために、かみそりヘッドと本体ケースとの間は、防水シールを兼ねるパッキンでシールしてある。
【０００３】
本発明では、電装品などを収容する本体ケースを内ケースと外ケースで構成し、内ケースの前後面を、前後に二分割した外ケースで覆う形態を採るが、この種のケース構造を備えた電気かみそりは公知である（特許文献２、３参照）。
【０００４】
【特許文献１】特開２００３−１１７２６８号公報（段落番号００２８、図１１）
【特許文献２】実用新案登録第２５８１１００号公報（段落番号００１３、図１）
【特許文献３】特許第２７９８２１４号公報（２頁右欄３１〜４３行、第５図）
【発明の開示】
【発明が解決しようとする課題】
【０００５】
特許文献１にみられるように、かみそりヘッドを浮動自在に支持する形態の電気かみそりにおいては、傾動するかみそりヘッドが本体ケースに当たるのを避けるために、かみそりヘッドと本体ケースとの間に浮動隙間を設ける必要がある。そのため、特許文献１にみられるように、浮動隙間に臨んで本体ケースが開口してあるような場合に、毛屑や異物が開口面の内側に侵入するのを防止できない。
【０００６】
特許文献１の電気かみそりでは、かみそりヘッドと本体ケースとの間を、防水シールを兼ねるパッキンでシールしているので、毛屑などが本体ケースの内部へ入り込むことはないものの、パッキンより外側の空間部分に毛屑などが侵入するのを避けられず、その清掃に多くの手間が掛かってしまう。因みに、浮動隙間これ自体を防塵用のゴムパッキンで封止することはできるが、他の部位との質感が大きく異なるゴムパッキンが表面に露出するため、電気かみそりの見かけの印象が損なわれやすく、そのことが実用化を阻んでいる。
【０００７】
本発明の目的は、かみそりヘッドが浮動自在に支持されている電気かみそりにおいて、毛屑などが本体ケースの開口部内面に入り込むのを防止して、電気かみそりを衛生的な状態で使用できるうえ、浮動隙間の周辺部分の清掃を少ない手間で簡便に行えるようにすることにある。
【課題を解決するための手段】
【０００８】
本発明の電気かみそりは、本体ケース１と、本体ケース１に装填される作動ユニット２とを備えている。その作動ユニット２は、本体ケース１に収容される電装品部２Ａと、電装品部２Ａに対して上下、左右、前後のいずれかひとつの方向へ浮動可能に支持されるかみそりヘッド２Ｂとで構成されている。かみそりヘッド２Ｂと本体ケース１との間には、かみそりヘッド２Ｂの浮動移動を許す浮動隙間Ｅが形成されている。そのうえで、浮動隙間Ｅの周囲開口面が、かみそりヘッド２Ｂと本体ケース１との間に設けた防塵壁５３で遮蔽されていることを特徴とする（請求項１）。
【０００９】
かみそりヘッド２Ｂは、電装品部２Ａに対して上下、左右、前後の各方向のうち、複数方向へ浮動自在に支持することができる（請求項２）。具体的には、かみそりヘッド２Ｂの外面下部には、下向きに開口する防塵壁５３を形成する（請求項３）。
【００１０】
防塵壁５３は、かみそりヘッド２Ｂの外面下部に下向きに開口する状態で設けた上防塵壁５３ａと、浮動隙間Ｅに臨む本体ケース１の上部に設けられて上向きに開口する下防塵壁５３ｂとで構成し、これら上下の防塵壁５３ａ・５３ｂが内外に重なって浮動隙間Ｅの周囲を遮蔽する形式を採ることができる（請求項４）。
【００１１】
浮動隙間Ｅは、周方向へ連続する無端環状の空間で形成し、本体ケース１の上部と防塵壁５３とが、浮動隙間Ｅの全周囲部分において内外に重なる状態で形成されている（請求項５）。また、上防塵壁５３ａの周面と、本体ケース１の上部周面とは、同一平面上に設けることができる（請求項６）。
【００１２】
本体ケース１は、内ケース１０と、内ケース１０の外面を覆う前後に二分割された外ケース１１と、外ケース１１の上端に配置固定される、下防塵壁５３を含む上枠体１２とで構成する。そして、前ケース１１ａと後ケース１１ｂとからなる外ケース１１の上端に、上枠体１２を外嵌固定することにより、前後ケース１１ａ・１１ｂを上枠体１２で分離不能に固定することができる（請求項７）。
【００１３】
内ケース１０の左右両側には、外ケース１１の外面に露出するランド部１３・１４が突設されており、ランド部１３・１４は、上下および前後に拡がりを有する突起で形成されて、外ケース１１の表面と面一になる状態で突設されており、前ケース１１ａと後ケース１１ｂとの接合面にランド部１３・１４を配置して、前後の両ケース１１ａ・１１ｂをランド部１３・１４で位置決めしている（請求項８）。
【発明の効果】
【００１４】
本発明では、かみそりヘッド２Ｂが電装品部２Ａに対して上下、左右、前後のいずれかひとつの方向へ浮動可能に支持されている電気かみそりにおいて、かみそりヘッド２Ｂと本体ケース１との間に形成される浮動隙間Ｅの周囲開口面が、かみそりヘッド２Ｂと本体ケース１との間に設けた防塵壁５３で遮蔽されているので、外刃ホルダー２６に沿って滑落してきた毛屑が、浮動隙間Ｅへ入り込むのを防塵壁５３で阻止して、毛屑などが本体ケース１の上開口部の内面に入り込むのを防止できる。従って、本発明の電気かみそりによれば、電気かみそりを常に衛生的な状態で使用できるうえ、毛屑の入り込みがない分だけ浮動隙間Ｅの周辺部分の清掃が少ない手間で簡便に行える（請求項１）。
【００１５】
かみそりヘッド２Ｂを電装品部２Ａに対して上下、左右、前後の各方向のうち複数方向へ浮動自在に支持する電気かみそりにおいては、浮動隙間Ｅの全周から毛屑が侵入するおそれがあるが、浮動隙間Ｅの周囲開口面を防塵壁５３で遮蔽することにより、毛屑などが本体ケース１の上開口部の内面に入り込むのを確実に防止できる（請求項２）。
【００１６】
浮動隙間Ｅの周囲開口面が、かみそりヘッド２Ｂ側に設けた下向きに開口する防塵壁５３で遮蔽されていると、本体ケース１の上開口部を上面側から覆う状態で、浮動隙間Ｅの周囲開口面を遮蔽して、外刃ホルダー２６に沿って滑落してきた毛屑を本体ケース１の外面側へ落下案内できるので、毛屑が浮動隙間Ｅへ侵入するのをさらに確実に防止できる。本体ケース１の上部内面に設けたケースパッキン５０も防塵壁５３で完全に隠蔽できるので、電気かみそりの外観上の印象を向上できる（請求項３）。
【００１７】
下向きに開口する上防塵壁５３ａと、上向きに開口する下防塵壁５３ｂとで防塵壁５３を構成し、内外に重なる上下の防塵壁５３ａ・５３ｂで浮動隙間Ｅの周囲開口面を遮蔽すると、浮動隙間Ｅと外部空間との間に隘路状の空間を形成できるので、毛屑の侵入をさらに確実に防止できる。そのうえで、例えばかみそりヘッド２Ｂ側から突設した防塵壁５３のみで浮動隙間Ｅを遮蔽するような場合に比べて、上下の防塵壁５３ａ・５３ｂの突出寸法を小さくできるので、各防塵壁５３ａ・５３ｂが壁強度をアップし、落下衝撃に強い電気かみそりが得られる（請求項４）。
【００１８】
浮動隙間Ｅが周方向へ連続する無端環状の空間である場合に、浮動隙間Ｅの全周囲部分において、本体ケース１の上部と防塵壁５３とが内外に重なる状態で浮動隙間Ｅを遮蔽すると、かみそりヘッド２Ｂが前後、左右、上下の全方向へ傾動する場合にも毛屑の侵入を確実に防止できる。防塵壁５３が周回状に連続しているので、本体ケース１とかみそりヘッド２Ｂとの隣接部分の外観デザインを統一的に行える利点もある（請求項５）。
【００１９】
上防塵壁５３ａの周面と、本体ケース１の上部周面とを同一平面上に設けるようにした電気かみそりによれば、かみそりヘッド２Ｂが浮動支持された電気かみそりであるにもかかわらず、本体ケース１とかみそりヘッド２Ｂとの表面を連続させて、視覚的な一体感を強調し、外郭形状を簡素にまとめることができる（請求項６）。
【００２０】
内ケース１０と、内ケース１０を前後から覆う外ケース１１と、上枠体１２とで本体ケース１を構成し、外ケース１１を構成する前ケース１１ａと後ケース１１ｂの上端に上枠体１２を外嵌固定することにより、前後ケース１１ａ・１１ｂを分離不能に固定したケース構造によれば、本体ケース１を二重構造にして構造強度を向上できるし、内ケース１０によって防水機能を強化できる。内ケース１０および外ケース１２とは別に設けた、無端枠状の上枠体１２で前後ケース１１ａ・１１ｂを分離不能に固定するので、例えばビス止めする必要もなく、前後ケース１１ａ・１１ｂを内ケース１０に対して強固に固定して、外ケース１１と内ケース１０との一体感を向上できる（請求項７）。
【００２１】
内ケース１０の左右両側にランド部１３・１４を設け、このランド部１３・１４を前ケース１１ａと後ケース１１ｂとの接合面に配置して、前後の両ケース１１ａ・１１ｂを位置決めするようにしたケース構造によれば、ランド部１３・１４で両ケース１１ａ・１１ｂの位置ずれを規制できるうえ、外ケース１１の表面に露出するランド部１３・１４と、前後ケース１１ａ・１１ｂとの協同作用で外部衝撃を受け止めて、本体ケース１の強度を増強できる（請求項８）。
【発明を実施するための最良の形態】
【００２２】
図１ないし図１１は本発明に係る電気かみそりの実施例を示す。図２ないし図４において電気かみそりは、上下中途部がくびれている本体ケース１と、本体ケース１に対して差し込み装填される作動ユニット２とを主な構成要素にしている。
【００２３】
本体ケース１の前面には、化粧パネル３を設けてあり、その上下にモーター起動用のスイッチノブ４と、充電状態にのみ発光表示する表示パネル５とを設けてある。本体ケース１の後面には、きわぞり刃ユニット６と、きわぞり刃ユニット６を起伏操作する切換ノブ７とが設けられている。
【００２４】
図５において本体ケース１は、内ケース１０と、内ケース１０の外面を覆う外ケース１１と、外ケース１１の上端に装着される上枠体１２などで構成する。内ケース１０は上向きに開口する筒状体からなり、その左右周面の上下に、装飾と、衝撃吸収と、外ケース１１のずれ防止とを兼ねるランド部１３・１４が突設されている。両ランド部１３・１４は上下、および前後に拡がりを有する突起として形成した。具体的には、上側のランド部１３は涙滴状に形成し、下側のランド部１４は鳥のくちばし状に形成した。
【００２５】
外ケース１１は、前後に二分割された前ケース１１ａと後ケース１１ｂとで構成されている。両ケース１１ａ・１１ｂは、それぞれ内ケース１０に対して前後面から被せ付けられて、その周縁内面の多数個所が内ケース１０に係合固定され、さらに両ケース１１ａ・１１ｂの上端に上枠体１２を外嵌装着することにより、内ケース１０に対して分離不能に固定される。
【００２６】
詳しくは、図５に示すように、上側のランド部１３の上隣、および下隣の壁面のそれぞれに前後一対ずつ突起５５を形成し、これら突起５５に対応する凹部５６を、前ケース１１ａ、および後ケース１１ｂの接合縁側の周縁内面に４個ずつ形成する。ランド部１３の周縁前後に凹部５７を形成し、これら凹部５７と係合する突起５８を前ケース１１ａ、および後ケース１１ｂの周縁内面に形成する。内ケース１０の前後面の下部に凹部５９を形成し、これら凹部５９と係合する突起６０を前ケース１１ａ、および後ケース１１ｂの下部内面に形成する。前後ケース１１ａ・１１ｂの上開口の接合部内面には、先に説明した係合爪１５と係合する係合溝６１が形成してあり、この係合溝６１の上方を除く開口周縁に係合段部６２が突出形成してある。
【００２７】
図３に示すように前後ケース１１ａ・１１ｂを内ケース１０に組み付けて、上記の突起５５・５８・６０と凹部５６・５７・５９とを係合し、さらに図９に示すように、上枠体１２を前後ケース１１ａ・１１ｂの係合段部６２に外嵌係合することにより、外ケース１１を内ケース１０と一体化し、前後ケース１１ａ・１１ｂを分離不能に固定している。この組付け状態では、上下のランド部１３・１４が両ケース１１ａ・１１ｂの接合面を分断して、湾曲する周側縁で両ケース１１ａ・１１ｂを位置決めして位置ずれを防いでいる。このときのランド部１３・１４の表面は、外ケース１１の表面と滑らかに連続する状態で面一状になっており、上側のランド部１３がくびれ部分のほぼ中心に位置している。図５において上枠体１２は、四角形状の無端枠体からなり、その上面に下防塵壁５３ｂが突設され、下面両側に前後ケース１１ａ・１１ｂと係合する係合爪１５が突設されている。下防塵壁５３ｂの詳細は後述する。
【００２８】
図４において作動ユニット２は、本体ケース１に収容される下半側の電装品部２Ａと、電装品部２Ａに対して上下、左右、前後の全方向へ浮動可能に支持されるかみそりヘッド２Ｂとで構成されている。
【００２９】
図４において電装品部２Ａは、内フレーム１７に回路基板１８や２次電池１９などを組み付けて構成する。内フレーム１７の上部には、モーター２７の下部周囲を囲むモーター枠２０を一体に形成してあり、その内底の左右に、傾動したかみそりヘッド２Ｂを中立位置へ復帰付勢する弾性ピン２１が突設されている。
【００３０】
モーター枠２０の上端には、後述するケースパッキン５０を装着するためのシール枠２２を形成してある。内フレーム１７を内ケース１０に装填し、その下端のボスを内ケース１０の下面側からねじ込んだビス２３で締結することにより、内フレーム１７を内ケース１０と一体化できる。
【００３１】
図６においてかみそりヘッド２Ｂは、中空箱状のヘッドフレーム２５と、ヘッドフレーム２５に着脱される外刃ホルダー２６とを主な構造体にして、これらにモーター２７および振動子２８を含む駆動機構と、前後一対のメイン刃２９およびセンター刃３０などを組み込んで構成してあり、図３に示すように、側面から見たかみそりヘッド２Ｂの機軸中心が、本体ケース１の縦中心軸に対して前面側へ傾斜している。
【００３２】
図８および図９において、ヘッドフレーム２５の内部には、カム機構３１と前後一対の振動子２８・２８とを配置してあり、これら両者２８・３１でモーター２７の回転動力を往復動作に変換して、メイン刃２９、センター刃３０、およびきわぞり刃ユニット６を往復駆動する。前後の振動子２８は、メイン刃２９の内刃２９ｂを駆動する駆動軸３３をそれぞれ備えており、互いに逆向きに駆動されて運動慣性力を相殺する。
【００３３】
図９において前側の振動子２８には、センター刃３０の内刃３０ｂを駆動する駆動軸３４を設けてあり、後側の振動子２８には、きわぞり刃ユニット６の可動刃を駆動する駆動腕３５を設けてある。図３および図９においてきわぞり刃ユニット６は、かみそりヘッド２Ｂの前後傾動動作の邪魔になるのを避けるために、本体ケース１の後面上端より下方に配置してある。そのため、駆動腕３５は振動子２８の下端からきわぞり刃ユニット６の内面にわたって逆Ｌ字状に突設してある。図８において符号３６はヘッドフレーム２５の上面開口を塞ぐフレームカバー、３７は駆動軸３３用のパッキン、３８はモーター２７の出力軸用のパッキンである。
【００３４】
外刃ホルダー２６は、上下面が開口するキャップ状の枠体からなり、その上面開口の内部にメイン刃２９の外刃２９ａと、センター刃３０の外刃３０ａおよび内刃３０ｂとが装着してある。ヘッドフレーム２５の左右両側にはロックボタン４１を設けてあり、このロックボタン４１をばね４２に抗して押し込み操作すると、ロック状態が解除されて外刃ホルダー２６をヘッドフレーム２５から取り外すことができる。ロックボタン４１は、ヘッドフレーム２５で左右スライド自在に支持されて、ばね４２でロック姿勢に押圧付勢されている（図７、図８参照）。
【００３５】
かみそりヘッド２Ｂを上下、左右、前後の全方向へ浮動可能に支持するために、図１０および図１１に示すように、内フレーム１７の弾性ピン２１でモーターホルダー３２を支持しており、モーターホルダー３２の下端と、モーター枠２０との間にフロートばね４５が配されている。
【００３６】
図７においてモーターホルダー３２は、長円形の上枠４６と、上枠４６の下面に突設されてモーター２７の左右側面および底面を保持する逆門形の主枠４７と、上枠４６の底壁両側から下向きに突設された係合脚４８とを一体に備えている。係合脚４８の下端には爪を外向きに突設してあり、この爪を図８に示すようにシール枠２２の両側下面で受け止めることにより、モーターホルダー３２が内フレーム１７から分離するのを阻止できる。
【００３７】
上枠４６の底壁両側には、弾性ピン２１と係合するフロート穴４９を上下貫通状に形成してある。モーター２７をモーターホルダー３２に装填し、上枠４６にケースパッキン５０を装着した状態で、上枠４６をその下面側からねじ込まれるビス５１でヘッドフレーム２５に締結することにより、モーター２７はヘッドフレーム２５と一体化できる。
【００３８】
フロートばね４５とかみそりヘッド２Ｂとを、シール枠２２の上方から内フレーム１７内に差し込み、フロート穴４９が弾性ピン２１と係合する状態で、係合脚４８をモーター枠２０の内面に差し込み係合して、シール枠２２で受け止めることにより、かみそりヘッド２Ｂを電装品部２Ａに対して上下、左右、前後の全方向へ浮動可能に支持した状態で一体化できる。
【００３９】
内ケース１０の内部に異物や洗浄水が入り込むのを防ぐために、上枠４６とシール枠２２との間にはケースパッキン５０が配備されている。図８に示すように、ケースパッキン５０の上縁は上枠４６とヘッドフレーム２５とで上下に挟持し、シール枠２２の周囲溝にはめ込んだ下縁はシール枠２２と内ケース１０の内面壁とで内外方向からに挟持されている。
【００４０】
以上のように、かみそりヘッド２Ｂを上下、左右、前後の全方向へ浮動可能に支持することにより、ひげそり時にはかみそりヘッド２Ｂを肌の面変化や、ひげ切断面の傾きの即応して傾動させて、メイン刃２９およびセンター刃３０を肌に密着でき、ひげ切断を効果的に行うことができる。かみそりヘッド２Ｂの上下動、左右傾動、および前後傾動を許すために、図１に示すように本体ケース１とかみそりヘッド２Ｂとの間には浮動隙間Ｅが確保されている。従来の電気かみそりでは、この浮動隙間Ｅの周面が外部空間に向かって開放されていたため、浮動隙間Ｅから毛屑や異物が本体ケース１上部内面に入り込む余地があった。こうした、毛屑や異物の侵入を防ぐために、本発明では浮動隙間Ｅの周囲開口面を防塵壁５３で遮蔽している。
【００４１】
図１、図８、図９において防塵壁５３は、かみそりヘッド２Ｂの外面下部に下向きに開口する状態で設けられた上防塵壁５３ａと、浮動隙間Ｅに臨む本体ケース１の上部に設けられて上向きに開口する下防塵壁５３ｂとで構成されている。上防塵壁５３ａは、ヘッドフレーム２５と一体に形成してあり、上面側から見た外刃ホルダー２６の外郭線に一致してスカート状に周回するよう形成してある。下防塵壁５３ｂは、上枠体１２と一体に形成してあり、その上縁部分が上防塵壁５３ａと内外に重なって、浮動隙間Ｅの周囲を遮蔽している。この状態で、上防塵壁５３ａの周面と本体ケース１の上部周面とは同一平面上にある（図２、図３参照）。
【００４２】
上記のように、浮動隙間Ｅの全周囲が内外に重なる上下の防塵壁５３ａ・５３ｂで遮蔽されていると、浮動隙間Ｅと外部空間との間の連通空間が隘路と化し、毛屑が浮動隙間Ｅ内に入り込むのを確実に阻止できる。
【００４３】
外刃ホルダー２６の表面に沿って落下してきた毛屑は、上防塵壁５３ａに案内されて落下するが、下防塵壁５３ｂが上防塵壁５３ａと内外に重なっているため、毛屑は上枠体１２の表面に沿って落下せざるを得ず、毛屑が浮動隙間Ｅに入り込むことはない。仮に下防塵壁５３ｂの外面に毛屑が付着したとしても、かみそりヘッド２Ｂが下向きにならない限りは、毛屑が浮動隙間Ｅに入り込むことはない。なお、上下の防塵壁５３ａ・５３ｂは、かみそりヘッド２Ｂがいかなる方向へ傾動したとしても、全周にわたって内外に重なる状態を維持できるので、浮動隙間Ｅの周囲側面が外部空間に対して直接開放されることはない。
【００４４】
防塵壁５３は、ヘッドフレーム２５から下向きに突設される上防塵壁５３ａと、上枠体１２から上向きに突設される下防塵壁５３ｂとからなるので、両防塵壁５３ａ・５３ｂの突出寸法を小さくしながら、両者５３ａ・５３ｂを内外に重ねることができ、突出寸法が少なくて済む分だけ両防塵壁５３ａ・５３ｂの壁強度を増強できる。
【００４５】
図１２は防塵壁５３に関する本発明の別実施例を示す。そこでは、ヘッドフレーム２５と一体に形成した上防塵壁５３ａのみで防塵壁５３を構成し、その下向きに開口するスカート状の周囲壁で本体ケース１の上部開口面を覆うことにより、毛屑などが本体ケース１の開口内面に侵入するのを防止できるようにした。この場合の上枠体１２は、前後ケース１１ａ・１１ｂを分離不能に固定する部品として機能するが、その上面に補助防塵壁５４を備えることができる。
【００４６】
上記の実施例では、かみそりヘッド２Ｂが全方向へ浮動可能に支持する場合について説明したが、かみそりヘッド２Ｂは上下、左右、前後のいずれかひとつの方向へ傾動できる場合にも、本発明は適用できる。また、かみそりヘッドの浮動支持構造は、実施例で説明した構造に限られず、要はかみそりヘッド２Ｂが上下、左右、前後方向へ傾動できる構造であればよい。モーター２７を内ケース１０に固定しておき、モーター２７の出力軸とカム機構３１とをフレキシブル軸で接続して、モーター２８を含まないかみそりヘッド２Ｂを浮動可能に支持してもよい。
【００４７】
かみそりヘッド２Ｂには、メイン刃２９のみを設けてあってもよく、センター刃３０を備えている必要はない。かみそりヘッド２Ｂに１個のメイン刃２９を設けた電気かみそりや、メイン刃２９がロータリー式の内刃を備えている電気かみそりであってもよい。上枠体１２と同様に、上防塵壁５３ａはヘッドフレーム２５とは別の独立した部品で形成することができる。下防塵壁５３ｂと、その内面側に設けた上防塵壁５３ａとで防塵壁５３を構成してもよい。
【図面の簡単な説明】
【００４８】
【図１】防塵構造を示す縦断正面図である。
【図２】電気かみそりの正面図である。
【図３】電気かみそりの側面図である。
【図４】電気かみそりの分解正面図である。
【図５】本体ケースの分解斜視図である。
【図６】かみそりヘッドの分解正面図である。
【図７】浮動支持構造を示す分解斜視図である。
【図８】図３におけるＡ−Ａ線断面図である。
【図９】電気かみそり上部の縦断側面図である。
【図１０】浮動支持構造を示す断面側面図である。
【図１１】図３におけるＢ−Ｂ線断面図である。
【図１２】防塵構造の別実施例を示す断面図である。
【符号の説明】
【００４９】
１  本体ケース
２  作動ユニット
２Ａ  電装品部
２Ｂ  かみそりヘッド
１０  内ケース
１１  外ケース
１１ａ  前ケース
１１ｂ  後ケース
１２  上枠体
１３・１４  ランド部
５３  防塵壁
５３ａ  上防塵壁
５３ｂ  下防塵壁
Ｅ  浮動隙間
【図１】
2005102916.tif 000003
【図２】
2005102916.tif 000004
【図３】
2005102916.tif 000005
【図４】
2005102916.tif 000006
【図５】
2005102916.tif 000007
【図６】
2005102916.tif 000008
【図７】
2005102916.tif 000009
【図８】
2005102916.tif 000010
【図９】
2005102916.tif 000011
【図１０】
2005102916.tif 000012
【図１１】
2005102916.tif 000013
【図１２】
2005102916.tif 000014